(57)【要約】【課題】  浴槽フロアと洗い場フロアと接続部の面積を小さくすることにより、浴室内の有効面積を大きくするか、または浴室を小型化できる浴室用フロアの接続構造を提供する。【解決手段】  浴槽フロア２０の周壁部２１の一方側に接続部２３を設けるとともに洗い場フロア３０の周壁部３１の浴槽フロア２０側部分に接続部３３を設け、接続部２３，３３を上下に重ねて接続して浴室用フロアＦを構成した。また、接続部２３，３３における対向する傾斜面２３ｂ，３３ａを、それぞれ水平面から略４５度傾斜させ、接続部２３，３３間に平帯状のシール材３６を設置し、傾斜面２３ｂに突条２４を、傾斜面３３ａに突条３４を設けた。また、接続部２３，３３にねじ３７を垂直方向に螺合させて接続部２３，３３を固定した。さらに、接続部３３に上方に向かって突出した突部３５を設け、接続部２３における突部３５に対向する部分に突部３５と係合可能な凹部２５を形成した。【選択図】  図３
2005146667.tif 000002
【特許請求の範囲】
【請求項１】
浴槽フロアと洗い場フロアとの対向する縁部に、接続部を備えた壁部をそれぞれ前記縁部に沿って設け、前記両接続部を上下に重ねた状態で接続して構成される浴室用フロアの接続構造であって、前記両接続部における対向する面に、それぞれ水平面から所定角度傾斜させた傾斜面を形成したことを特徴とする浴室用フロアの接続構造。
【請求項２】
前記両接続部間にシール材を設置した請求項１に記載の浴室用フロアの接続構造。
【請求項３】
前記シール材を前記両接続部の傾斜面に面接触する平面状のシール材で構成するとともに、前記両接続部の傾斜面のうちの少なくとも一方の傾斜面に、前記傾斜面の長手方向に沿って延びる突条を形成した請求項２に記載の浴室用フロアの接続構造。
【請求項４】
前記両接続部に、ねじを垂直方向に螺合させることにより、前記両接続部を固定した請求項１ないし３のうちのいずれか一つに記載の浴室用フロアの接続構造。
【請求項５】
前記両接続部における一方の接続部の傾斜面に突部を突出させるとともに、他方の接続部の傾斜面における前記突部に対向する部分に前記突部と係合可能な凹部を形成した請求項１ないし４のうちのいずれか一つに記載の浴室用フロアの接続構造。
【発明の詳細な説明】
【技術分野】
【０００１】
本発明は、浴槽を設置するための浴槽フロアと洗い場を構成する洗い場フロアとを接続する浴室用フロアの接続構造に関する。
【背景技術】
【０００２】
従来から、浴室ユニット等においては、浴槽を設置するための浴槽フロアと、洗い場の床面を構成する洗い場フロアとを接続して構成される浴室用フロアが用いられている。この浴室用フロアの接続構造は、深さが深い防水パンからなる浴槽フロアの周縁部に形成された壁部の上端部に、深さが浅い防水パンからなる洗い場フロアの周縁部に形成された壁部の上端部を接続することによって構成されている（例えば、特許文献１参照）。
【０００３】
この浴室用フロアの接続構造では、浴槽フロアと洗い場フロアとの両壁部の上端からそれぞれ対向させて水平方向にフランジ片を延ばし、両フランジ片を上下に重ねた状態で、ボルトとナットによって固定している。また、両フランジ片の間には、断面形状が長方形の厚肉のシール用パッキンが設置され、両フランジ片のパッキンに対向する面には、それぞれパッキンを押し潰した状態で収容するための凹部が形成されている。
【特許文献１】特開２０００−２６５５１８号公報
【発明の開示】
【０００４】
しかしながら、前述した浴室用フロアの接続構造では、浴槽フロアと洗い場フロアとの両壁部の上端から水平方向に延びるフランジ片同士を上下に重ねた状態で固定するため、接続構造を形成するために必要な平面視における面積が大きくなる。このため、浴槽フロアまたは洗い場フロアにおける有効面積（浴槽の設置や洗い場として使用したり、或いはその他の部材や機器等を設置したりできる平面視における面積）が狭くなるという問題が生じている。
【０００５】
本発明は、前述した問題に対処するためになされたもので、その目的は、浴槽フロアと洗い場フロアとの接続構造が占める平面視における面積を抑えることができ浴室内の有効面積を大きくするか、または浴室を小型化することのできる浴室用フロアの接続構造を提供することである。
【０００６】
前記目的を達成するため、本発明にかかる浴室用フロアの接続構造の構成上の特徴は、浴槽フロアと洗い場フロアとの対向する縁部に、接続部を備えた壁部をそれぞれ縁部に沿って設け、両接続部を上下に重ねた状態で接続して構成される浴室用フロアの接続構造であって、両接続部における対向する面に、それぞれ水平面から所定角度傾斜させた傾斜面を形成したことにある。
【０００７】
前述したように構成した本発明にかかる浴室用フロアの接続構造では、浴槽フロアと洗い場フロアとを接続するために、浴槽フロアと洗い場フロアとにそれぞれ設けた接続部の相対向する面に水平面から所定角度傾斜させた傾斜面を形成している。したがって、両接続部の接触（対向）面積を十分に確保しながら、平面視における面積を抑えることができ、浴室用フロアにおける有効面積を大きく確保することができる。
【０００８】
また、傾斜面の傾斜角度は、使用に応じて適宜設定することができ、水平面からの角度を大きくするに従って平面視における接続構造の面積を小さくすることができる。ただし、この傾斜角度は、浴室用フロアの製造や強度の面から４５度程度に設定することが最も好ましい。また、両接続部は、板状に形成して、下側に位置する接続部の下面および上側に位置する接続部の上面をそれぞれ各傾斜面に対して平行になるようにしてもよいし、下側に位置する接続部の下面および上側に位置する接続部の上面が水平面になるような形状に形成してもよい。さらに、下側に位置する接続部の下面と上側に位置する接続部の上面とをそれぞれ一方が傾斜面で他方が水平面になるように形成してもよい。
【０００９】
本発明にかかる浴室用フロアの接続構造の他の構成上の特徴は、両接続部間にシール材を設置したことにある。これによると、各接続部が形成された浴槽フロアの壁部と洗い場フロアの壁部との間に止水性を向上させることができ、床下に水が漏れることのない浴室用フロアが得られる。
【００１０】
本発明にかかる浴室用フロアの接続構造のさらに他の構成上の特徴は、シール材を両接続部の傾斜面に面接触する平面状のシール材で構成するとともに、両接続部の傾斜面のうちの少なくとも一方の傾斜面に、傾斜面の長手方向に沿って延びる突条を形成したことにある。
【００１１】
この場合、平面状のシール材を対向する傾斜面で挟んだ状態で両接続部が接続されるため、浴室用フロアの止水性能がさらに向上する。また、傾斜面の少なくとも一方に突条が形成されているため、シール材の一部は、突条によって対向する傾斜面に押し付けられる。このシール材の突条によって傾斜面に押し付けられる部分は、傾斜面の長手方向に沿った線状になるため、確実な止水効果が得られる。また、この場合、両傾斜面の長手方向の両端部を、両傾斜面の長手方向に沿った水平方向から上方に向かって自然に曲がる連続な曲面に形成し、シール材の両端部をこの曲面の上端側まで延ばすこともできる。これによると、さらに、浴室用フロアの止水性能が向上する。
【００１２】
本発明にかかる浴室用フロアの接続構造のさらに他の構成上の特徴は、両接続部に、ねじを垂直方向に螺合させることにより、両接続部を固定したことにある。これによると、ねじの長さを長く設定しても、ねじの先端部が浴槽フロアまたは洗い場フロアの壁部側に突出して壁部を損傷させることがなくなる。また、ねじにおける両接続部に係合する部分が長くなるため、より強固な接続が可能になる。この場合、上方に位置する接続部の上面を水平面にしたり、上方に位置する接続部の上面に水平な部分を設けたりすることが好ましい。これによると、ねじの取り付け作業が容易になるとともに、ねじによる両接続部の固定がより強固になる。更に、この場合、平面視における接触部の面積を、垂直方向に螺合させるねじ固定に必要な面積まで抑えることが可能であり、浴室用フロアにおける有効面積をより大きく確保することが可能となる。
【００１３】
本発明にかかる浴室用フロアの接続構造のさらに他の構成上の特徴は、両接続部における一方の接続部の傾斜面に突部を突出させるとともに、他方の接続部の傾斜面における突部に対向する部分に突部と係合可能な凹部を形成したことにある。これによると、突部と凹部を係合させることにより両接続部を適正な位置で強固に接続できるとともに、その組み付け作業が容易になる。また、両接続部の間にシール材を設置する場合には、突部に合わせてシール材を位置決めすることができ、シール材を適正位置に設置できるとともに、その設置作業が容易になる。
【発明を実施するための最良の形態】
【００１４】
以下、本発明の一実施形態を図面を用いて説明する。図１は、本発明にかかる浴室用フロアの接続構造を備えた浴室ユニット１０を示しており、この浴室ユニット１０が備える浴室用フロアＦは、図２に示した浴槽フロア２０と洗い場フロア３０とで構成されている。この浴室用フロアＦは、建物の躯体を構成する床面部１１の上面に設置されており、周縁部に壁パネル１２ａ，１２ｂ，１２ｃ，１２ｄ等およびドア（図１における手前側に位置する壁パネルおよびドアは図示せず。）が起立状態で設置されている。そして、壁パネル１２ａ等の上端には、天井パネル（図示せず）が掛け渡されて固定されている。
【００１５】
浴槽フロア２０は、浴槽１３を設置するためのフロアであり、樹脂材料を一体成形して構成されている。また、この浴槽フロア２０は、周縁部に略垂直方向に高く設定された周壁部２１が形成された深い防水パンで構成されており、周壁部２１の上端部には、水平支持部２２が形成されている。この水平支持部２２は、外側に向かって水平に延びるフランジ状に形成され、壁パネル１２ａと、壁パネル１２ｂおよび図１の手前左側に設置される壁パネル（図示せず）の一部を支持する。また、水平支持部２２における洗い場フロア３０に沿った部分は、本発明に係る接続部２３を構成するもので、洗い場フロア３０との接続に用いられる。
【００１６】
接続部２３は、図３に示したように、上面が略水平になった上部水平面２３ａに形成され、下面の中央部が水平面に対して略４５度の角度に設定された傾斜面２３ｂに形成されている。この傾斜面２３ｂは、壁部２１側が下方になるように形成されている。また、接続部２３の下面における先端側部分は略水平の下部水平面２３ｃに形成され、傾斜面２３ｂと下部水平面２３ｃとの境界部分には、接続部２３の長手方向に沿って延びる断面形状が略半円状の突条２４が形成されている。そして、傾斜面２３ｂの下端部分には、上方に凹んだ凹部２５が接続部２３の長手方向における両側部分に沿って形成されている。この凹部２５の天井面は、下部水平面２３ｃと略同一面上に位置するように設定されている。
【００１７】
また、接続部２３の上部水平面２３ａの先端縁部には、エプロン（図示せず）を位置決めするための立上げ部２６が縁部に沿って形成されている。水平支持部２２における接続部２３を除く部分の上面における外周側縁部にも、立上げ部２６と同じ断面形状の落下防止堰２２ａが形成されており、この落下防止堰２２ａは、止水や壁パネル１２ａ等の外側への位置ずれを防止する。また、水平支持部２２における接続部２３を除く部分の上面における幅方向の略中央には、上方に向かって突出する係合突部（図示せず）が形成されている。壁パネル１２ａ等の下面における幅方向の中央には、係合溝が形成されており、この係合溝を係合突部に係合させて壁パネル１２ａ，１２ｂおよび図１における手前側の壁パネルは、浴槽フロア２０に組み付けられている。
【００１８】
また、浴槽フロア２０の内部側底面の四隅近傍には、浴槽１３を設置するための設置部２７がそれぞれ設けられ、浴槽フロア２０の底部における洗い場フロア３０側部分の略中央には排水口２８が形成されている。そして、周壁部２１のうちの洗い場フロア３０側の部分には、浴槽フロア２０の中央側に向って突出した２個の枠状突部２９が間隔を保って形成されている。
【００１９】
枠状突部２９の前部は、下部側が浴槽フロア２０の中央側に向って突出した傾斜部に形成されており、その中央部に四角形の開口からなる点検口（図示せず）がそれぞれ形成されている。そして、その点検口に四角板状の点検口用蓋２９ａがそれぞれねじ２９ｂや両面接着テープなどによって着脱可能に取り付けられている。また、浴槽フロア２０の底面の各角部近傍には、浴槽フロア２０および浴槽１３を支持するとともに、浴槽フロア２０の高さ調整を行うための支脚１５がそれぞれ設けられている。
【００２０】
洗い場フロア３０は、洗い場の床面を構成するとともにカウンター１６を設置するためのフロアであり、樹脂材料を一体成形して構成されている。この洗い場フロア３０は、周縁部が、周壁部２１よりも低く設定された周壁部３１からなる浅い防水パンで構成されており、周壁部３１における浴槽フロア２０に沿った部分を除く部分の上端部に、水平支持部２２と同形の水平支持部３２が形成されている。そして、周壁部３１における浴槽フロア２０に沿った部分の上端部に、本発明に係るもう一方の接続部３３が形成されており、この接続部３３が浴槽フロア２０の接続部２３に接続されている。
【００２１】
接続部３３は、図３に示したように、上面が接続部２３の下面に略対応する形状に形成されており、中央部には傾斜面２３ｂに対向する傾斜面３３ａが形成されている。この傾斜面３３ａの傾斜角度も水平面に対して略４５度の角度に設定されている。また、接続部３３の上面における基端側部分は下部水平面２３ｃに対向する略水平の上部水平面３３ｃに形成され、傾斜面３３ａにおける上端部よりもやや下方の部分に、接続部３３の長手方向に沿って延びる断面形状が略半円状の突条３４が形成されている。この突条３４は、傾斜面２３ｂ，３３a間における突条２４の下側に突条２４と並んで位置するように形成されている。
【００２２】
そして、接続部３３の上面の下端部には、凹部２５と係合可能な突部３５が、図４に示したように、上方に向かって形成されている。この突部３５は、接続部３３の、例えば両側部分にそれぞれ設けられている。また、接続部３３の下面は、傾斜角度が略４５度の下部傾斜面３３ｂに形成されており、接続部３３は、全体に亘って略一定の厚みに形成されている。また、接続部３３の長手方向に沿った両端側部分は、傾斜面３３ａおよび下部傾斜面３３ｂの傾斜が水平に近づくようにして長手方向に沿った部分が水平から上方に向かって延びる曲面部に形成されている。なお、接続部の両端側部分もこの曲面部に対向する曲面部に形成されている。
【００２３】
接続部２３，３３の間には、上下面が平面に形成された平帯状のシール材３６が設置されて、洗い場フロア３０の上面に流れた水が、接続部２３，３３の間を通過して浴室用フロアＦの下方に流れることを防止している。このシール材３６は、突条２４によって傾斜面３３ａに押し付けられるとともに、突条３４によって傾斜面２３ｂに押し付けられて、接続部２３，３３の間を確実にシールする。また、接続部２３，３３の幅方向の略中央には所定間隔を保って、垂直方向に貫通するねじ穴（図示せず）が設けられており、このねじ穴にそれぞれねじ３７が螺合して、接続部２３，３３を固定している。
【００２４】
また、水平支持部３２の上面における外周側縁部に、落下防止堰２２ａと同形の落下防止堰３２ａが形成され、水平支持部３２の上面における幅方向の略中央には、水平支持部２２の係合突部と同形の係合突部（図示せず）が形成されている。この水平支持部３２は、壁パネル１２ｃ，１２ｄ、ドアの取り付け枠等を支持する。また、洗い場フロア３０の底面における壁パネル１２ｃ側部分に、カウンター１６を設置するための台部３８が形成され、台部３８に給水管等の配管を通すための穴部３８ａが形成されている。また、洗い場フロア３０の底面における浴槽フロア２０側部分の略中央には排水口（図示せず）が設けられ、その排水口の上方に排水口用蓋３９が設置されている。
【００２５】
そして、洗い場フロア３０の外部側底面の各角部近傍には、洗い場フロア３０を支持するとともに、洗い場フロア３０の高さ調整を行うための支脚１７が設けられている。また、浴槽フロア２０の排水口２８と、洗い場フロア３０の排水口とは、浴室用フロアＦの下方に設置された排水管（図示せず）に接続されている。また、この浴室ユニット１０には、排水管や給水管の外、加熱器等の種々の機器（図示せず）が備わっている。
【００２６】
この構成において、浴室ユニット１０を組み付ける場合には、まず、床面部１１の上面における所定位置に、洗い場フロア３０を設置する。つぎに、図４に示したように、接続部３３の傾斜面３３ａ上に、シール材３６を設置する。このシール材３６は、下方側の縁部を接続部３３に設けられた２個の突部３５に合わせて設置され、その両端部は、接続部３３の両端側の曲面部の上端部分まで延びている。
【００２７】
ついで、床面部１１の上面における洗い場フロア３０に隣接する位置に、浴槽フロア２０を設置し、接続部３３の傾斜面３３ａに接続部２３の傾斜面２３ｂを重ねるとともに、凹部２５を突部３５に係合させた状態で、洗い場フロア３０に浴槽フロア２０を接続する。この際、シール材３６を、接続部２３，３３に圧接させる。また、シール材３６は、突条２４によって傾斜面３３ａに押し付けられるとともに、突条３４によって傾斜面２３ｂに押し付けられて、接続部２３，３３間を密閉する。そして、各ねじ穴にねじ３７を螺合させて接続部２３，３３を固定する。これによって、床面部１１上に浴室用フロアＦが形成される。この場合、平面視における接続部２３，３３の幅方向の長さを短く設定できるため、その分、浴槽フロア２０または洗い場フロア３０の有効面積を増加させることができる。
【００２８】
つぎに、浴室用フロアＦの周壁部２１，３１における外周部分に順次壁パネル１２ａ等を組み付ける。この際、壁パネル１２ａ等の下面に設けられた係合溝を、水平支持部２２，３２の係合突部に係合させて各壁パネル１２ａ等を設定された適正位置に位置決めする。また、隣接する各壁パネル１２ａ等の接続は、ジョイント材（図示せず）を用いて行われ、このジョイント材としては、平継ぎ用のものと角部接続用のものとが使用される。
【００２９】
ついで、浴室用フロアＦの浴槽フロア２０に浴槽１３を設置するとともに、洗い場フロア３０にカウンター１６を設置する。そして、給水管や排水管等の各配管や各種の機器を所定位置に設置するとともに、各壁パネル１２ａ等の上端部に天井パネルを取り付けることにより、浴室ユニット１０が組み立てられる。また、この際、壁パネル１２ｃには、収容棚や鏡が取り付けられ、他の壁パネルの所定位置には、手摺が取り付けられる。
【００３０】
このように、本実施形態による浴室用フロアの接続構造では、浴槽フロア２０と洗い場フロア３０とを接続するための接続部２３，３３の対向する面に、水平面でなく水平面から略４５度傾斜した傾斜面２３ｂ，３３ａを形成している。したがって、接続部２３，３３を固定するための傾斜面２３ｂ，３３ａにおける対向面の面積を十分に確保しながら、平面視における接続部２３，３３が占める面積を小さくすることができる。このため、接続部２３，３３で減少した面積を、他の用途で使用したり、浴室ユニット１０の小型化に利用したりすることができる。
【００３１】
また、傾斜面２３ｂ，３３ａの間には、平帯状のシール材３６が設置され、このシール材３６は、突条２４によって傾斜面３３ａに押し付けられるとともに、突条３４によって傾斜面２３ｂに押し付けられる。このため、接続部２３，３３の間は確実にシールされて、浴槽フロア２０と洗い場フロア３０との間の止水性を向上させることができ、床面部１１上に水が漏れることを防止できる。
【００３２】
また、傾斜面２３ｂ，３３ａの両端部を、水平方向から上方に向かって自然に曲がる連続的な曲面に形成し、シール材３６の両端部をこの曲面の上端側まで延ばしているため、簡単な構造で、浴槽フロア２０と洗い場フロア３０との接続部２３，３３のすべてを閉塞状態で接続することができる。このため、接続部２３，３３の両端側部分の接続や止水のために、他の部材を使用する必要がなくなる。また、接続部２３，３３が連続した面で構成されるため、浴室用フロアＦの止水性能が大幅に向上する。
【００３３】
さらに、接続部２３，３３の所定部分に垂直方向に貫通するねじ穴を設け、このねじ穴にねじ３７を螺合させて接続部２３，３３を固定している。このため、ねじ３７の長さが長くても、ねじ３７の先端部は、周壁部２１，３１間の隙間に位置するようになり、ねじ３７の先端部が周壁部２１，３１に当たって損傷させることがなくなる。また、ねじ３７における接続部２３，３３に係合する部分が長くなるため、接続部２３，３３をより強固に固定することが可能になる。この場合、接続部２３の上面が上部水平面２３ａで構成されているため、ねじ３７の取り付け作業が容易になるとともに、ねじ３７による接続部２３，３３の固定がより強固になる。更に、平面視における接続部２３，３３の幅方向の長さを、最低限ねじ３７の固定に必要な長さに設定することにより、平面視における接続部２３，３３が占める面積をより小さくすることが可能となる。
【００３４】
また、接続部２３の下面における両側部分に凹部２５を形成するとともに、接続部３３の上面における両側部分に、凹部２５に係合する突部３５を設けているため、接続部２３，３３を適正な位置で接続できるとともに、その組み付け作業が容易になる。また、接続部３３の傾斜面２３ｂにシール材３６を設置する場合に、突部３５に合わせてシール材３６を位置決めすることができ、シール材３６を適正位置に設置できるとともに、その位置決めが容易になる。
【００３５】
また、本発明は、前述した実施形態に限定するものでなく、適宜、変更実施が可能である。例えば、傾斜面２３ｂ，３３ａの傾斜角度は、略４５度に限らず、適宜他の角度に設定することができる。また、接続部２３の上面を上部水平面２３ａに代えて傾斜面で構成してもよい。さらに、接続部３３の下面を下部傾斜面３３ｂに代えて水平面で構成してもよいし、ねじ３７の下端が外部に露出しないような肉厚部を設けるように構成してもよい。接続部２３の上面を傾斜面で構成する場合には、接続部２３の上面におけるねじ穴を設ける部分に平面部を形成することが好ましい。
【００３６】
さらに、凹部２５や突部３５は、接続部２３，３３の長手方向に沿った長いもので構成してもよいし、凹部２５を洗い場フロア３０の接続部３３に設け、突部３５を浴槽フロア２０の接続部２３に設けてもよい。また、突条２４，３４は設けなくてもよいし、どちらか一方だけ設けてもよい。また、その突条の設置位置も変更することができる。さらに、傾斜面２３ｂ，３３ａを、洗い場フロア３０側が下方となる傾斜面としても良いし、シール材も平帯状のものに限らず、紐状のものを用いてもよい。また、浴槽フロア２０側に接続部３３を設け、洗い場フロア３０側に接続部２３を設けてもよい。
【図面の簡単な説明】
【００３７】
【図１】本発明の一実施形態による浴室用フロアの接続構造を備えた浴室ユニットを示した縦断面図である。
【図２】図１に示した浴室ユニットが備える浴室用フロアを示した斜視図である。
【図３】浴槽フロアと洗い場フロアとの接続構造を示した縦断面図である。
【図４】洗い場フロアの接続部にシール材を設置した状態の一部を示した斜視図である。
【符号の説明】
【００３８】
１０…浴室ユニット、１３…浴槽、２０…浴槽フロア、２１，３１…周壁部、２３，３３…接続部、２３ｂ，３３ａ…傾斜面、２４，３４…突条、２５…凹部、３０…洗い場フロア、３５…突部、３６…シール材、Ｆ…浴室用フロア。
【図１】
2005146667.tif 000003
【図２】
2005146667.tif 000004
【図３】
2005146667.tif 000005
【図４】
2005146667.tif 000006